(57)【要約】【課題】ディスクの取り出しを適切に行えるようその排出量を大きくしながら、取り出すべきディスクがスロット部から脱落することを防止できるディスク駆動装置の提供。【解決手段】ディスク搬送機構の作動により、ディスクＤが第１の露出量で筐体外に露出するイジェクト途上位置まで搬出されたとき、ディスクの搬出方向に対する押出アーム８の回転移動を規制してディスクＤをイジェクト途上位置に一時停止させるイジェクト中断手段を備える。その手段は、所定の位置に固設されるカム部材２５と、押出アーム８に取り付けられるカム従動子２６とを係合することにより構成される。イジェクト途上位置におけるディスクの露出端面ｅを筐体内に押し込むことにより、押出アーム８の移動規制が解除されてディスクＤの搬出が再開される。【選択図】図１２
2007164918.tif 000002
【特許請求の範囲】
【請求項１】
筐体のスロット部に挿入されたディスクを筐体内における所定のドライブ位置まで搬入すると共に、前記ドライブ位置におけるディスクを前記スロット部より筐体外に搬出するディスク搬送機構を備え、そのディスク搬送機構がディスクに対して搬出方向への押圧力を与えるディスクプッシャを有して構成されるディスク駆動装置であって、
前記ディスク搬送機構の作動により、ディスクが第１の露出量で筐体外に露出するイジェクト途上位置まで搬出されたとき、ディスクの搬出方向に対するディスクプッシャの移動を規制してディスクを前記イジェクト途上位置に一時停止させるイジェクト中断手段を備え、前記イジェクト途上位置における一時停止中のディスクが筐体内に押し込まれることにより、前記イジェクト中断手段によるディスクプッシャの移動規制が解除されてディスクがイジェクト途上位置よりも大きい第２の露出量で露出する位置まで搬出される構成としたことを特徴とするディスク駆動装置。
【請求項２】
前記イジェクト中断手段は、所定の位置に固設されるカム部材と、ディスクプッシャに取り付けられるカム従動子とを係合することにより構成されることを特徴とする請求項１記載のディスク駆動装置。
【発明の詳細な説明】
【技術分野】
【０００１】
本発明は、ＣＤプレーヤやＤＶＤレコーダに代表されるディスク駆動装置に係わり、特にディスクを交換するなどに際して装置内のディスクを適切に取り出させるようにしたディスク駆動装置に関する。
【背景技術】
【０００２】
従来、ＣＤやＤＶＤといったディスクに楽曲情報などを記録したり、その記録情報を再生したりするディスク駆動装置が一般に良く知られている。係るディスク駆動装置は、ディスクを回転させるターンテーブルやディスクの半径方向に移動するピックアップなどを備えたディスク駆動部を有し、そのターンテーブルによりクランプ盤との間にディスクの中心部をチャッキングしてこれを回転させながら、その半径方向に移動するピックアップによりディスクの記録情報を読み取ったり情報の書き込みを行ったりすることのできる構成とされる。
【０００３】
特に、係るディスク駆動装置として、ディスクを載せるトレイを用いず、スリット状の開口部（スロット部）とディスク駆動部を構成するターンテーブルとの間でディスクの搬入および搬出を行うディスク搬送機構を備えたものが知られる。
【０００４】
その種のディスク駆動装置はスロットインタイプと呼ばれるが、係るディスク駆動装置として、取り出すべきディスクが装置内から勢い良く搬出されることを防止するために、搬出時のディスクをスロット部の長手方向両側から挟み込むためのブレーキ部材を設けたものが知られる（例えば、特許文献１）。
【０００５】
【特許文献１】特開平８−１６７２０８号公報（段落０１２５〜０１２８及び図１４〜１５）
【発明の開示】
【発明が解決しようとする課題】
【０００６】
然しながら、特許文献１のように、左右一対のブレーキ部材をディスクの端面に押し付ける構成によれば、ブレーキ部材による挟持力によってディスクに作用する制動力にバラツキが生じ、ディスクの停止位置がその都度変わり、最悪の場合にはディスクが停止されることなく勢い余ってスロット部から脱落してしまう虞があった。
【０００７】
特に、特許文献１では、ブレーキ部材によりディスクをスロット部の長手方向両側から挟み込むようにしているため、左右一対のブレーキ部材は筐体内におけるスロット部の近傍にあって両者の間隔がディスクの直径よりも小さくなければならない。
【０００８】
従って、ディスクは筐体内から大きく張り出さず、その中心穴が筐体の外部に現れないので、ディスクをスロット部から抜取るときその中心穴に指を掛けることができず、ディスクを厚さ方向から摘むことになるためにディスクの信号記録エリアに指が触れて記録情報を劣化させる危険性があった。
【０００９】
本発明は以上のような事情に鑑みて成されたものであり、その目的はディスクの取り出しを適切に行えるようその排出量を大きくしながら、取り出すべきディスクがスロット部から脱落することを防止できるようにする事にある。
【課題を解決するための手段】
【００１０】
本発明は上記目的を達成するため、筐体のスロット部に挿入されたディスクを筐体内における所定のドライブ位置まで搬入すると共に、前記ドライブ位置におけるディスクを前記スロット部より筐体外に搬出するディスク搬送機構を備え、そのディスク搬送機構がディスクに対して搬出方向への押圧力を与えるディスクプッシャ（押出アーム８）を有して構成されるディスク駆動装置であって、
前記ディスク搬送機構の作動により、ディスクが第１の露出量で筐体外に露出するイジェクト途上位置まで搬出されたとき、ディスクの搬出方向に対する押出アーム８の移動を規制してディスクを前記イジェクト途上位置に一時停止させるイジェクト中断手段を備え、前記イジェクト途上位置における一時停止中のディスクが筐体内に押し込まれることにより、前記イジェクト中断手段による押出アーム８の移動規制が解除されてディスクがイジェクト途上位置よりも大きい第２の露出量で露出する位置まで搬出される構成としたことを特徴とする。
【００１１】
又、上記のようなディスク駆動装置において、イジェクト中断手段は、所定の位置に固設されるカム部材２５と、押出アーム８に取り付けられるカム従動子２６とを係合することにより構成されることを特徴とする。
【発明の効果】
【００１２】
本発明のディスク駆動装置によれば、ディスクを第１の露出量で筐体外に露出するイジェクト途上位置に一時停止させながら、これを押し込むことでディスクの搬出動作が再開されてディスクがイジェクト途上位置よりも大きい第２の露出量をもって外部搬出されるようにしていることから、イジェクト途上位置より搬出されるディスクをユーザが指先で待ち受けてディスクの飛び出し、脱落を防止でき、しかもユーザの指先が待ち受けた状態でディスクが搬出されることにより、ディスクの排出量をその中心穴が外部に露出する状態となるように大きくしても該ディスクの脱落を防止でき、この場合にはディスクの中心穴に指先を掛けて信号記録エリアに触れることなくディスクを取り出すことができる。
【００１３】
又、ディスクをイジェクト途上位置に一時停止させるイジェクト中断手段が、所定の位置に固設されるカム部材と、ディスクを搬出方向に押圧するためのディスクプッシャに取り付けられるカム従動子との係合によるカム機構で成ることから、ディスクの搬出を誤作動なく確実に行うことができる。
【発明を実施するための最良の形態】
【００１４】
以下、図面に基づいて本発明を詳しく説明する。図１は本発明に係るディスク駆動装置の構成例を示した斜視図である。図１において、１は金属板をプレス加工するなどして形成されるシャーシであり、このシャーシ１上には板バネ２を介して座板３が設けられる。
【００１５】
そして、その座板３にディスクを回転させるためのターンテーブル４や図示せぬピックアップを取り付けて楽曲情報などの記録／再生を行うドライブユニット５（一般にトラバースメカと称されるディスク駆動部）を構成している。因みに、ターンテーブル４は図示せぬスピンドルモータの駆動軸に直結して一方向に回転駆動され、図示せぬピックアップはターンテーブル４上で回転駆動されるディスクの半径方向に移動しながら記録情報の読み取りや書き込みを行う。又、シャーシ１は、その上部が後述する天板により覆われた状態で図示せぬ筐体内に固定されるが、その筐体前面にはディスクの出し入れに供するスリット状の開口部（スロット部）が形成され、そのスロット部に挿入されたディスクが筐体の内外でディスク搬送機構により自動搬送されるようになっている。
【００１６】
尚、本発明では、ディスク搬送機構によるディスクの搬入終了位置をドライブ位置といい、そのドライブ位置ではディスクとターンテーブル４の中心が合致して、ターンテーブル４とこれに対向する図示せぬクランプ盤とによりディスクの中心をチャッキング可能とされる。又、ディスク搬送機構によるディスクの搬出終了位置をイジェクト位置といい、そのイジェクト位置ではディスクの中心穴の半分程度が上記スロット部より外部に露出する状態とされる。特に、本発明によれば、イジェクト中断手段によりディスクがイジェクト位置に到達する前の搬出途上で一時停止されるようになっているが、このときのディスク位置をイジェクト途上位置という。そして、イジェクト途上位置では、ディスクの端面の一部のみが外部に露出する状態（第１の露出量）とされるが、係るイジェクト中断手段については後述する。
【００１７】
ここで、上記ディスク搬送機構は、筐体内（ドライブユニット５に対向する位置）にディスクを引き込むための左右一対の引込アーム６，７、筐体内のディスクを外部に押し出すための押出アーム８（ディスクプッシャ）、引込アーム６，７と押出アーム８を作動させるためのスライド部材９、並びにスライド部材９を駆動するための正逆回転可能なモータ１０などを有して構成され、引込アーム６，７の各一端にはディスクの端面に接触するローラ６ａ，７ａが設けられる。又、押出アーム８の一端にもディスクの端面に接触する接触部材８ａが設けられる。
【００１８】
係るディスク搬送機構の構成を図２および図３により更に詳しく説明すると、引込アーム６，７は各々その中間部分がピン１１，１２にてシャーシ１に回動自在に取り付けられており、その各一端には上述の如くローラ６ａ，７ａが設けられ、両者の他の一端は２つのリンク１３，１４を介して連接される。リンク１４は、シャーシ１に対しピン１５で回動自在に取り付けられ、リンク１３とは連接ピン１６により結合されており、それらリンク１３，１４の他の一端がそれぞれ引込アーム６，７に対して連接ピン１７，１８で結合されている。これにより、引込アーム６，７がリンク１３，１４を通じて逆向きに回動して互いに開閉運動を行うようになっている。
【００１９】
一方、ディスクプッシャとしての押出アーム８は、その一端が引込アーム６の回動中心を成すピン１１に取り付けられて引込アーム６と回動中心を共有している。ここで、ピン１１には図３に示すように捩りバネ１９が装着され、その捩りバネ１９により引込アーム６と押出アーム８が互いに閉じる方向に付勢されるようにしてある。つまり、引込アーム６はピン１１を中心として図３の時計回り（ディスクの搬入方向）に付勢され、押出アーム８は同ピン１１を中心として図３の反時計回り（ディスクの搬出方向）に付勢されている。
【００２０】
又、図２および図３から明らかなように、スライド部材９は引込アーム６と押出アーム８の配置側に設けられるラック状の部品で、これはシャーシ１に対して摺動自在に取り付けられている。特に、スライド部材９はその長さ方向（ディスクの搬送方向）に移動可能とされ、これには引込アーム６の回動案内をするためのカム溝９ａと、押出アーム８の回動案内をするための突起９ｂが設けられる。尚、カム溝９ａには引込アーム６に突設される円柱状の従動ピン６ｂが挿入され、突起９ｂは押出アーム８の側面部に摺接される。
【００２１】
そして、本例によれば、スライド部材９が図３の矢印方向（ディスクの搬入方向Ｌ１）に摺動したとき、カム溝９ａと捩りバネ１９の働きにより引込アーム６がピン１１を中心として図３の時計回りに回動されながら、突起９ｂが押出アーム８を押圧することにより該押出アーム８が捩りバネ１９の付勢力に抗してピン１１を中心に図３の時計回りに回動されるようにしてある。尚、スライド部材９の摺動により一方の引込アーム６が図３の時計回りに回動されるとき、他方の引込アーム７は上記の如くリンク１３，１４を通じて図３の反時計回りに回動するのであり、このためローラ６ａ，７ａの間隔は徐々に狭められることになる。但し、スライド部材９がＬ１方向における終点位置に差し掛かると、カム溝９ａおよびリンク１３，１４の働きにより一対の引込アーム６，７の回動が逆向きに転換され、これによりローラ６ａ，７ａがディスクの端面から離間する。
【００２２】
ここで、シャーシ１には、図２のようにスライド部材９とモータ１０との間で伝動機構２０が設けられ、その伝動機構２０を介してモータ１０の動力がスライド部材９に伝達されるようにしてある。係る伝動機構２０は、ピニオン部２１ａを含む二段構造のカムギヤ２１を有して構成される歯車列であり、このうちカムギヤ２１を構成するピニオン部２１ａがスライド部材９のラック部９ｃと噛合わされている。
【００２３】
又、図２および図３から明らかなように、シャーシ１には左右一対の引込アーム６，７の間でスライダ２２が設けられる。スライダ２２は、上記スロット部の長手方向に沿って摺動可能とされる可動部品であり、これには傾斜状に立ち上がるガイド溝２２ａが形成される。更に、スライダ２２とスライド部材９の間にはピン２３を回転支点とする揺動レバー２４が掛け渡され、その一端がスライダ２２に連接されると共に、揺動レバー２４の他の一端にはスライド部材９に突設されるピン９ｄと係合するＵ字形の切欠２４ａが形成される。
【００２４】
そして、本例によれば、スライド部材９が図３のＬ１方向に進行するとき、揺動レバーの切欠２４ａにスライド部材のピン９ｄが係合して揺動レバー２４が図３の反時計回りに回動され、これによってスライダ２２がスライド部材９側に引き寄せられつつ上記ドライブユニットの上昇動作が行われるようにしてある。
【００２５】
図４および図５で明らかなように、ドライブユニット５には、スライダのガイド溝２２ａに挿入するガイドピン５ａが突設されるのであり、このためスライダ２２が上記のようにスライド部材９側に移動すると、ガイドピン５ａがガイド溝２２ａに沿って押し上げられることにより、図５のようにドライブユニット５の上昇動作が行われる。又、スライダ２２がスライド部材９から離間する方向に移動すると、ガイドピン５ａがガイド溝２２ａに沿って押し下げられることにより、図４のように板バネ２が撓みつつドライブユニット５が傾斜姿勢に降下することとなる。尚、ドライブユニット５の上昇動作はディスク搬送機構によるディスクの搬入動作に連続して行われ、ドライブユニット５の上昇完了時にはターンテーブル４でディスクが支持される（詳しくは、ターンテーブル４とこれに対向するクランプ盤とによりディスクがその中心部を回転自在にチャッキングされる）。又、ドライブユニット５の降下動作はディスク搬送機構によるディスクの搬出動作に先行して行われ、ドライブユニット５の降下開始時にはターンテーブル４に代わってディスクが引込アーム６，７と押出アーム８とで外周端面部を保持される。
【００２６】
次に、本発明の主要部を成すイジェクト中断手段の構成例を図６〜図８に示して説明すれば、係るイジェクト中断手段は、所定の位置に固設されるカム部材２５と、ディスクプッシャとしての押出アーム８に取り付けられるカム従動子２６とにより構成される。このうち、カム部材２５は、押出アーム８との対面側にカム溝２７を形成した板状の部材とされる。特に、カム溝２７は図７に示されるように、その中間部分が隔壁２８を介して２つの経路２７ａ，２７ｂに分けられており、隔壁２８にはＶ字形に切り欠いた凹部２９が形成される。
【００２７】
一方、カム従動子２６は、一端が押出アーム８の中間部分にピン２６ａにて回動自在に取り付けられるアーム状の部品であり、その自由端側にはカム部材２５のカム溝２７に係合する従動ピン２６ｂが形成される。特に、図６および図８に示されるように、カム従動子２６には押出アーム８の部位に接触する摩擦片２６ｃが設けられ、その摩擦片２６ｃによりカム従動子２６に所定の回転抵抗力が与えられ、その回転抵抗力を超える外力が作用しない限りカム従動子２６が静止状態を保ち得るようにしてある。
【００２８】
そして、上記のようなイジェクト中断手段によれば、押出アーム８の回動によって該押出アームに取り付けたカム従動子２６の移動が行われ、これによりカム従動子の従動ピン２６ｂがカム溝２７の形状に沿ってその内部を移行し、特にディスクの搬出時においては従動ピン２６ｂがカム溝２７内の凹部２９に案内され、このときディスクの搬出方向に対する押出アーム８の回転移動が規制されてディスクの搬出動作が中断されるようになっている。
【００２９】
尚、図９において、３０はドライブユニット５の上部を覆う天板であり、この天板３０に押出アーム８と対向する位置でカム部材２５が固設される構成としてある。又、図９から明らかなように、天板３０には、上記ターンテーブル４と対向する位置でクランプ盤３１が取り付けられる。
【００３０】
ここで、図１０に基づきイジェクト中断手段の動作説明をすると、図１０(１)は初期状態（スロット部に対するディスク挿入前）であり、このとき押出アーム８は捩りバネ１９により矢印Ａ方向（ディスク搬出方向）に付勢されて側面部がスライド部材の突起９ｂに押し付けられている。又、カム従動子２６はその従動ピン２６ｂがカム溝２７の一端にあって静止している。
【００３１】
この状態で図示せぬスロット部から筐体内にディスクが挿入されると、ディスクの端面が押出アームの接触部材８ａに接触し、これにより押出アーム８がディスクに押されて図１０(２)の矢印Ｂ方向（ディスク搬入方向）に回動され、このときカム従動子の従動ピン２６ｂが回動半径Ｒ１を有してカム溝２７内の第１経路２７ａを進行する。そして、ユーザによるディスクの押し込みで押出アーム８が所定位置まで回動されると、これが図示せぬセンサにより検知されてディスク搬送機構がディスクを搬入するべく起動し、これによりスライド部材の突起９ｂが図１０(２)の矢印Ｌ１方向（ディスク搬入方向）に移動しながら押出アーム８を更に矢印Ｂ方向に回動させる。
【００３２】
しかして、ディスクの搬入が完了した時点において、押出アーム８はその側面部が捩りバネ１９によりスライド部材の突起９ｂに押し付けられたまま図１０(３)の位置に静止される。又、このとき従動ピン２６ｂはカム溝の第１経路２７ａの先端に位置して回動半径がＲ２（Ｒ２＜Ｒ１）に変化されている。
【００３３】
一方、ディスクの搬出時において、スライド部材の突起９ｂが図１０(４)の矢印Ｌ２方向（ディスク搬出方向）に移動することにより、押出アーム８も捩りバネ１９の付勢力を受けて同図矢印Ａ方向に回動される。このとき、従動ピン９ｂは経路２７ａを搬入時とは逆向きに移動するが、その回動半径が上記の如くＲ２に変化されていることにより、該従動ピン２６ｂが第１経路２７ａから第２経路２７ｂ側に誘導される。そして、この時点で従動ピン２６ｂが経路２７ａ，２７ｂを分ける隔壁の凹部２９に嵌り込むようになる。このため、押出アーム８はイジェクト中断手段により拘束されて図１０(４)の矢印Ａ方向（ディスク搬出方向）に対する回転移動を規制されるのであり、このときディスクが押出アーム８から押圧力を受けることなく上記イジェクト途上位置に一時停止されることになる。
【００３４】
ここで、ディスクの露出端面（筐体の外部に露出する端面）がユーザにより外部から押し込まれると、そのディスクを通じて押出アーム８が図１０(５)の矢印Ｂ方向に回動されるが、従動ピン２６ｂは凹部２９内への嵌り込みに際して回動半径がＲ２からＲ３（Ｒ３＜Ｒ２）に変化されることにより、経路２７ａ内を進入することなく図１０(４)〜図１０(５)のように回動半径をＲ３からＲ４に変化されながら経路２７ｂの端部に進行する。
【００３５】
その後、ユーザがディスクを押し込むのをやめると、押出アーム８が捩りバネ１９の付勢力により図１０(６)の矢印Ａ方向（ディスク搬出方向）に回動されるが、このとき従動ピン２６ｂは回動半径Ｒ４をもって隔壁２８に衝突することなく経路２７ｂ内を進行するのであり、このためイジェクト中断手段による押出アーム８の移動規制が解除され、その押出アーム８が図１０(６)の矢印Ａ方向に回動しながらディスクの端面を搬出方向に押圧し、以ってディスクがイジェクト途上位置よりも大きな露出量（第２の露出量）で露出するイジェクト位置まで搬出されることとなる。
【００３６】
尚、ディスクがイジェクト位置に搬出される際には、ディスクの搬出を再開すべくその露出端面を押し込んだユーザの指先がディスクを待ち受けるので、ディスクがスロット部から脱落することはなく、これを適切に取り出すことができる。
【００３７】
次に、ディスク搬送機構によるディスクの搬送動作について説明する。先ず図１１によりディスクの搬入動作について説明すると、図１１(１)は初期状態（ディスクの搬入前）であり、このとき一方の引込アーム６は、捩りバネ１９の付勢力により従動ピン６ｂがスライド部材のカム溝９ａの片面に押し付けられた状態で位置決めされている。又、他方の引込アーム７はリンク１３，１４を通じてシャーシ１の壁面に押し付けられた状態で位置決めされており、この状態では左右のローラ６ａ，７ａの間隔がディスクＤの直径よりも小さくなっている。尚、押出アーム８は、捩りバネ１９によりスライド部材の突起９ｂに押し付けられた状態で位置決めされている。
【００３８】
この状態で外部からスロット部にディスクＤを挿入すると、その端面がローラ６ａ，７ａに接触するが、ディスクＤを更に強く押し込むと、その押込力によりローラ６ａ，７ａが押され、左右の引込アーム６，７が捩りバネ１９の付勢力に抗して押し広げられる。
【００３９】
そして、ディスクの中心部がローラ６ａ，７ａの間を通過した時点では、図１１(２)のように当該ディスクＤの端面が押出アームの接触部材８ａにも接触するようになり、このとき捩りバネ１９の作用でローラ６ａ，７ａと接触部材８ａがそれぞれディスクＤの端面に押圧されるために、ディスクＤは３点支持されるようになる。又、ディスクＤが引込アームのローラ６ａ，７ａと押出アームの接触部材８ａとで３点支持された段階では、引込アーム６の位置が図示せぬセンサにより検知され、その検知信号に基づいてディスクの搬入方向Ｌ１に対するスライド部材９の移動が開始される。
【００４０】
すると、スライド部材９の突起９ｂにより押出アーム８が側面部を押圧されて図１１(２)の時計回りに回動される一方、引込アーム６，７は捩りバネ１９により閉じる方向の付勢力を受けてディスクＤを押出アーム８側に押圧する。このため、ディスクＤは、引込アームのローラ６ａ，７ａと押出アームの接触部材８ａとで３点支持されたまま搬入方向Ｌ１に移動され、やがてディスクの中心部がターンテーブルと対向する位置（ドライブ位置）まで到達することとなる。
【００４１】
図１１(３)は、ディスクがドライブ位置に到達した状態であり、この状態ではスライド部材９のカム溝９ａの形状により引込アーム６，７の回動が規制されるほか、押出アーム８がスライド部材の突起９ｂにより図１１(３)の時計回りに回動されることなく、捩りバネ１９による反時計回りの回動を阻止されただけの状態となり、このためディスクＤは３点支持されたままドライブ位置に停止されるが、スライド部材９はその後も移動され続ける。
【００４２】
ディスクＤがドライブ位置に到達した後もスライド部材９の移動が続行されると、やがてスライド部材のピン９ｄが図１１(４)のように揺動レバーの切欠２４ａに係合し、これによって揺動レバー２４が同図の反時計回りに回動されつつスライダ２２をスライド部材９側に引き寄せる。
【００４３】
このため、上記ドライブユニット５が上昇され、これに装備されるターンテーブル４によりドライブ位置に停止されたままのディスクＤが中心部を支持されつつ、そのチャッキング動作（ターンテーブルとクランプ盤によるディスク中心部の挟み込み）が行われる。尚、図１１で明らかなように、スライダ２２とシャーシ１はトグルバネ３２により連係されており、スライダ２２が右側に位置するときにはトグルバネ３２から右向きの付勢力が与えられると共に、スライダ２２が左側に位置するときにはトグルバネ３２から左向きの付勢力が与えられ、これによりスライダ２２を位置決めしながらドライブユニット５の昇降駆動力を軽減できるようにしている。
【００４４】
又、上記のようなディスクのチャッキング動作に並行し、スライド部材９のカム溝９ａが従動ピン６ｂを図１１(４)の右方に押圧することによる引込アーム６の逆転回動が行われるほか、スライド部材９の突起９ｂが押出アーム８の側面部を押圧することによる押出アーム８の回動が再開されることにより、図１１(４)のようにローラ６ａ，７ａおよび接触部材８ａがディスクの外周端面部から離間され、以ってディスクＤをドライブする準備が整えられる。
【００４５】
一方、ディスクの搬出は、上記のような搬入動作とは逆の動作により行われる。但し、ディスクの搬出時においては、イジェクト中断手段により上記のようにディスクがイジェクト途上位置に一時停止される。
【００４６】
詳しくは、ディスク搬送機構によるディスクＤの搬出時において、スライド部材９が図１２(１)の矢印Ｌ２方向（ディスク搬出方向）に移動されることにより、ドライブユニットの降下に続いて引込アームのローラ６ａ，７ａと押出アームの接触部材８ａとによるディスクＤの支持が行われる。そして、スライド部材９が更にＬ２方向に移動すると、捩りバネ１９の働きにより押出アーム８が図１２(１)の反時計回り（ディスク搬出方向）に回動されて、ディスクＤが押出アームの接触部材８ａにより端面を押圧されつつイジェクト途上位置まで搬出される。
【００４７】
図１２(１)に示されるイジェクト途上位置において、押出アーム８は上記のようにイジェクト中断手段によりディスクの搬出方向に対する回転移動を規制されるのであり、このためディスクは端面の一部を外部に露出させた状態（第１の露出量）でイジェクト途上位置に一時停止される。
【００４８】
そして、この段階でイジェクト途上位置に一時停止中のディスクの露出端面ｅを筐体内（搬入方向）に押し込むと、図１２(２)のように、押出アーム８がディスクＤに押されて同図時計回りに回動され、これによりカム従動子の従動ピン２６ｂがカム溝２７内の凹部２９から外れることとなる。
【００４９】
その後、ディスクＤの押し込みをやめると、押出アーム８はイジェクト中断手段により回転移動を規制されることなく、図１２(３)のようにディスクの端面を搬出方向に押圧しながら反時計回り（ディスク搬出方向）に回動する。
【００５０】
しかして、ディスクＤは図１２(４)のように、押出アーム８に押圧されつつイジェクト途上位置よりも大きな露出量（第２の露出量）となる位置まで再搬出されるが、ディスクＤの中心部がローラ６ａ，７ａの間を通過した後には、カム従動子の従動ピン２６ｂとスライド部材の突起９ｂにより押出アーム８が停止される一方で、ディスクＤに対するローラ６ａ，７ａの圧接力がディスクＤを搬出する方向に作用するようになる結果、ディスクＤは引込アーム６，７により図１２(４)の位置より更に大きく押し出され、最終的に中心穴ｈがスロット部より筐体外に露出するイジェクト位置まで搬出されるようになる。
【００５１】
従って、ディスクの中心穴ｈに指先を掛け、ディスクＤの信号記録エリアに触れる事なくこれを取り出すことができる。尚、ディスクＤがイジェクト位置に搬出される際には、上記のようにディスクＤの搬出を再開すべくその露出端面ｅを押し込んだユーザの指先がディスクＤを待ち受けるので、ディスクＤがスロット部から脱落することもない。
【００５２】
以上、本発明について説明したが、ディスクに対して搬出方向の押圧力を与えるディスクプッシャは、上記のような回動運動を行う押出アーム８に限らず、ディスクの搬出方向にバネ付勢された状態で同方向に直進移動するような部材でもよい。
【００５３】
又、ディスクは、イジェクト途上位置からの再搬出によりイジェクト途上位置より排出量（露出量）が大きくなればよく、イジェクト位置において必ずしもディスクの中心穴が外部に露出されなくてもよい。
【００５４】
尚、本発明はＣＤプレーヤ、ＤＶＤレコーダ、又はカーナビゲーション用のＤＶＤプレーヤなど様々なディスク駆動装置に適用できる。
【図面の簡単な説明】
【００５５】
【図１】本発明に係るディスク駆動装置の内部構造を示す斜視図
【図２】同装置におけるディスク搬送機構を示す斜視図
【図３】シャーシを省略して示したディスク搬送機構の斜視図
【図４】ディスクを駆動するドライブユニットを示す斜視図（降下状態）
【図５】同ドライブユニットを示す斜視図（上昇状態）
【図６】イジェクト中断手段の構成例を示す斜視図
【図７】同イジェクト中断手段を下側からみた斜視図
【図８】同イジェクト中断手段を部分的に破断して示した側面図
【図９】同イジェクト中断手段を構成するカム部材の固設例を示す説明図
【図１０】同イジェクト中断手段の動作説明図
【図１１】ディスクの搬入動作を示す説明図
【図１２】ディスクの搬出動作を示す説明図
【符号の説明】
【００５６】
４  ターンテーブル
５  ドライブユニット
６，７  引込アーム
８  押出アーム（ディスクプッシャ）
９  スライド部材
１９  捩りバネ
２５  カム部材
２６  カム従動子
２６ｂ  従動ピン
２６ｃ  摩擦片
２７  カム溝
２７ａ  第１経路（従動ピン２６ｂの往路）
２７ｂ  第２経路（従動ピン２６ｂの復路）
２９  凹部
【図１】
2007164918.tif 000003
【図２】
2007164918.tif 000004
【図３】
2007164918.tif 000005
【図４】
2007164918.tif 000006
【図５】
2007164918.tif 000007
【図６】
2007164918.tif 000008
【図７】
2007164918.tif 000009
【図８】
2007164918.tif 000010
【図９】
2007164918.tif 000011
【図１０】
2007164918.tif 000012
【図１１】
2007164918.tif 000013
【図１２】
2007164918.tif 000014